(57)【要約】【課題】  持ち運びに便利であり、容易に積み重ねることのできる可搬式階段を提供する。【解決手段】  可搬式階段は、各段が、方形状可動枠21〜23およびこれの前端から後に向かって張られた踏板31〜33によって構成されている。全ての段の可動枠21〜23の左右方向の長さは、同一となされている。全ての段の可動枠21〜23の前後方向の長さは、上の段に行くほど段階的に小さくなされている。最下段の可動枠21の下方に、これと同形状の固定枠11が配置されている。全ての段の可動枠21〜23および固定枠11が、上下隣り合うもの同士間に間隔をおいて平行に並べられた状態で、全ての段の可動枠21〜23および固定枠11の左右両側部に複数ずつの連結ロッド41〜44が相互に平行に渡されかつ左右方向ピンによって揺動自在に連結されている。【選択図】  図１
2006009397.tif 000002
【特許請求の範囲】
【請求項１】
各段が、方形状可動枠およびこれの前端から後に向かって張られた踏板によって構成されており、全ての段の可動枠の左右方向の長さは、同一となされ、全ての段の可動枠の前後方向の長さは、上の段に行くほど段階的に小さくなされており、最下段の可動枠の下方に、これと同形状の固定枠が配置され、全ての段の可動枠および固定枠が、上下隣り合うもの同士間に間隔をおいて平行に並べられた状態で、全ての段の可動枠および固定枠の左右両側部に複数ずつの連結ロッドが相互に平行に渡されかつ左右方向ピンによって揺動自在に連結されており、同間隔を最大にした状態で、全ての段の可動枠および固定枠に対して連結ロッドが直交させられる開き姿勢から、同間隔を最小にした状態で、全ての段の可動枠および固定枠が上下に重なり合う閉じ姿勢に折畳みうるようになされている可搬式階段。
【請求項２】
開き姿勢時において、全ての段の可動枠のうち、上下に相対する２つの可動枠に筋交い棒が渡されうるようになされている請求項１に記載の可搬式階段。
【請求項３】
最下段の可動枠および固定枠に筋交い棒が渡されうるようになされている請求項１に記載の可搬式階段。
【請求項４】
最下段の可動枠に筋交い棒がその一端で上下揺動自在に支持されており、筋交い棒の他端に連結具が備えられ、開き姿勢時において、最下段よりも１つ上段の可動枠に、連結具が連結解除自在に連結されるようになされるとともに、閉じ姿勢時において、固定枠に連結具が連結解除自在に連結されるようになされている請求項２に記載の可搬式階段。
【請求項５】
折り畳み時に、連結具を連結状態に案内するためのガイド部材が固定枠に設けられている請求項４に記載の可搬式階段。
【請求項６】
固定枠に取っ手が上方突出状に設けられており、閉じ姿勢時における最上段の可動枠の上面と取っ手の上端が同一レベルとなされている請求項１〜４のいずれか１つに記載の可搬式階段。
【発明の詳細な説明】
【技術分野】
【０００１】
この発明は、例えば、カゲ段、すなわち、舞台のステージやセットへ行くために用いられ、陰に設置されて客席からは見えない可搬式階段に関する。
【背景技術】
【０００２】
従来、この種の用途に用いられる階段としては、木製のもので、全体が一体構造のものとして構成されているものが知られている。
【０００３】
この種の階段は、利用されないときは、倉庫等に保管されることになるが、重たくて嵩張るため、運搬が大変であった。また、階段を重ねることも容易ではなく、広い保管場所を必要とした。
【発明の開示】
【発明が解決しようとする課題】
【０００４】
この発明の目的は、持ち運びに便利であり、容易に積み重ねることのできる可搬式階段を提供することにある。
【課題を解決するための手段】
【０００５】
この発明による可搬式階段は、各段が、方形状可動枠およびこれの前端から後に向かって張られた踏板によって構成されており、全ての段の可動枠の左右方向の長さは、同一となされ、全ての段の可動枠の前後方向の長さは、上の段に行くほど段階的に小さくなされており、最下段の可動枠の下方に、これと同形状の固定枠が配置され、全ての段の可動枠および固定枠が、上下隣り合うもの同士間に間隔をおいて平行に並べられた状態で、全ての段の可動枠および固定枠の左右両側部に複数ずつの連結ロッドが相互に平行に渡されかつ左右方向ピンによって揺動自在に連結されており、同間隔を最大にした状態で、全ての段の可動枠および固定枠に対して連結ロッドが直交させられる開き姿勢から、同間隔を最小にした状態で、全ての段の可動枠および固定枠が上下に重なり合う閉じ姿勢に折畳みうるようになされているものである。
【０００６】
この発明による可搬式階段では、全ての段の可動枠が上下重なるように固定枠上に折り畳まれる。したがって、可搬式階段を持ち運びの際は、嵩張らず便利である。しかも、全ての段の可動枠および固定枠は、閉じ姿勢の際も平行であるから、可搬式階段を上下に重ねることができる。
【０００７】
さらに、開き姿勢時において、全ての段の可動枠のうち、上下に相対する２つの可動枠に筋交い棒が渡されうるようになされていると、階段の使用時に、開き姿勢を保つことができる。
【０００８】
また、最下段の可動枠および固定枠に筋交い棒が渡されうるようになされているてもよい。
【０００９】
また、最下段の可動枠に筋交い棒がその一端で上下揺動自在に支持されており、筋交い棒の他端に連結具が備えられ、開き姿勢時において、最下段よりも１つ上段の可動枠に、連結具が連結解除自在に連結されるようになされるとともに、閉じ姿勢時において、固定枠に連結具が連結解除自在に連結されるようになされていると、階段を、使用時の開き姿勢および搬送時の閉じ姿勢の双方に姿勢に保持することができる。
【００１０】
また、折り畳み時に、連結具を連結状態に案内するためのガイド部材が固定枠に設けられていると、連結具を可動枠から外し、階段を折畳んで行くと、連結具を自動的に固定枠に連結することができる。
【００１１】
また、固定枠に取っ手が上方突出状に設けられており、閉じ姿勢時における最上段の可動枠の上面と取っ手の上端が同一レベルとなされていると、複数の階段を上下互い違いに重ねる際、取っ手がスペーサの役目を果たすこととなって、階段を安定した積み重ね状態とすることができる。
【発明の効果】
【００１２】
この発明によれば、持ち運びに便利であり、容易に積み重ねることのできる可搬式階段を提供することができる。
【発明を実施するための最良の形態】
【００１３】
この発明の実施の形態を図面を参照しながらつぎに説明する。
【００１４】
以下の説明において、前後とは、階段に向かって、その手前の側を前、その奥の側を後といい、左右とは、前から見て、その左右の側を左右というものとする。
【００１５】
階段は、図１および図２に示す開き姿勢から、図３に示す閉じ姿勢に折畳みうるようになつている。以下、開き姿勢の階段について、その構造を説明する。
【００１６】
階段は、床に置かれている固定枠11と、これの上方に１段目〜３段目の段をそれぞれ構成する第１〜第３可動枠21〜23とを備えている。
【００１７】
固定枠11および第１〜第３可動枠21〜23の後端部の前後方向の位置は、揃っている、換言すれば、一致させられている。。
【００１８】
固定枠11は、前後に長い方形状のものである。第１可動枠21は、固定枠11と同形状のものである。第２可動枠22は、正方形状のものである。第３可動枠23は、左右に長い方形状のものである。固定枠11および第１〜第３可動枠21〜23の左右方向の長さは同一である。第３可動枠23の前後方向の長さの２倍が第２可動枠22の前後方向の長さであり、その３倍が第１可動枠21の前後方向の長さとなつている。したがって、第１可動枠21の、第３可動枠23の大きさ相当する部分が第２可動枠22から前方に突出させられ、第２可動枠22の、第３可動枠23の大きさ相当する部分が第３可動枠23から前方に突出させられている。
【００１９】
第１〜第３可動枠21〜23には第１〜第３踏み板31〜33が張られている。第１〜第３踏み板31〜33は、同一形状のものである。第１踏み板31は、第１可動枠21の前端から後に向かって拡がり、第２可動枠22から前方に突出させられた部分を被覆している。第２踏み板32は、第２可動枠22の前端から後に向かって拡がり、第３可動枠23から前方に突出させられた部分を被覆している。第３踏み板33は、第３可動枠23の全体を被覆している。
【００２０】
固定枠11および第１可動枠21の左右枠部材の前端には左右一対の第１連結ロッド41が渡されている。第２可動枠22の前端と、固定枠11および第１可動枠21の、第２可動枠22の前端直下にあたる部分には左右一対の第２連結ロッド42が渡されている。第３可動枠23の前端と、固定枠11、第１可動枠21および第２可動枠22の、第３可動枠23の前端直下にあたる部分には左右一対の第３連結ロッド43が渡されている。第３可動枠23の後端と、固定枠11、第１可動枠21および第２可動枠22の、第３可動枠23の前端直下にあたる部分、すなわち、固定枠11、第１可動枠21および第２可動枠22の後端には左右一対の第４連結ロッド44が渡されている。
【００２１】
図１および図２に示す開き姿勢では、固定枠11および第１〜第３可動枠21〜23の上下隣り合うもの同士のなす間隔は、最大である。固定枠11および第１〜第３可動枠21〜23と、第１〜第４連結ロッド41〜44とは、直交させられておりかつ左右方向水平ピンを介して互いの上下方向の揺動を自在としている。
【００２２】
固定枠11の後枠部材の長さの中程には門型状取っ手51が上方突出状に設けられている。この取っ手51の高さは、図３に示すように、閉じ姿勢時における第３可動枠23の上面と同一レベルとなされている。固定枠11の後端部左右両隅には左右一対の方形水平板状ガイド部材52が設けられている。両ガイド部材52のすぐ前方には水平パイプ状閉姿勢係止ロッド53が固定枠11の左右枠部材に渡し止められている。固定枠11の下面四隅には弾性材製滑り止め54が固着されている。
【００２３】
第１可動枠21の左右枠部材の前後方向長さの中間には水平パイプ状支持部材55が渡し止められている。支持部材55の左右両端部には、斜め後上向きにのびた左右一対の筋交い棒56がその後端部で上下揺動自在に支持されている。両筋交い棒56の前端部には連結具57がそれぞれ備えられている。また、両筋交い棒56の前端近くには水平棒状操作ロッド59が渡されている。
【００２４】
第２可動枠22の左右枠部材の後端部近くには、両連結具57を連結させた左右一対の短水平パイプ状開姿勢係止部材58が左右対向状に設けられている。
【００２５】
連結具57は、ワンタッチで係止ロッド53または係止部材58に連結解除自在に連結しうるもので、それ自体は公知のものである（例えば、実開平１１−５８２９４号参照。）。
【００２６】
図４は、連結具57を係止部材58に連結している状態を示すものである。連結具57について簡単に説明すると、連結具57は、フック61と、フック61の開口を開閉しうるようにフック61に設けられかつ係止部材58をロック解除自在にロックするロック部材62と、フック61の開口内に出没しうるようにフック61に設けられかつロック部材62を作動させる稼働当接片63とを備えている。ロック部材62は、フック61から出没させられる爪64と、爪64と一体的に設けられているブッシャ65とを備えている。
【００２７】
図４中、爪64はフック61から突出させられていて、係止部材58を下側からロックしている。当接片63は、フック61内に引き込まれている。この状態から、ブッシャ65を右向きに押動すると、爪64がフック61内に引き入れられ、ロック状態が解除される。フック61の開口から係止部材58は自在に抜け出ることができる。フック61の開口から係止部材58が抜け出すと、当接片63がフック61内に突出させられる。連結具57を係止部材58に連結する際は、フック61の開口を係止部材58にはめ被せて、当接片63に係止部材58を当接させてこれを押動し、当接片63をフック61内に引き込ませると、爪64が自動的に突出させられ、ロック状態となる。
【００２８】
開き姿勢では、支持部材55から係止部材57までの距離は、連結具57を含めた筋交い棒56の長さに等しい。閉じ姿勢では、支持部材55から係止ロッド53までの距離が、同長さに等しい。
【００２９】
開き姿勢では、連結具57は、係止部材58に連結されている。この状態から、係止部材58から連結具57の連結を解除する。そうすると、第１〜第４連結ロッド41〜44の揺動が自在となるため、第１〜第４連結ロッド41〜44の前向きに倒していく。これにしたがい、固定枠11、第１〜第３可動枠21〜23の上下隣り合うもの同士のなす間隔が漸次狭められていく。最終的に、同間隔がゼロとなって、固定枠11、第１〜第３可動枠21〜23が上下に重ねられると、図３に示す閉じ姿勢となる。
【００３０】
閉じ姿勢となる直前に、図５に示すように、連結具57はガイド部材52で受けられ、ガイド部材52上を前向きに滑べっていく。ガイド部材52上を滑べっていく連結具57がガイド部材52から係止ロッド53に乗り移る際に、係止ロッド53に当接片63が当接し、ロック部材62がロック状態となるように作動させられる。これにより、係止ロッド53に連結具57が自動的に連結される。
【００３１】
図６は、複数の階段を上下に重ねた状態を示すものである。複数の階段は、１つ置きに上下が逆さまとなっている。正立姿勢の階段の上に倒立姿勢の階段を重ねた部分では、２つの階段の第３可動枠23同士が重合わされ、取っ手51の先端同士が突き合わされている。倒立姿勢の階段の上に正立姿勢の階段を重ねた部分では、２つの階段の固定枠11同士が重合わされている。そして、第１〜第４連結ロッド41〜44、係止ロッド53等の、固定枠11から下方への若干の出張り部は、滑り止め54によって吸収されている。
【図面の簡単な説明】
【００３２】
【図１】開き姿勢の階段の斜視図である。
【図２】同階段の側面図である。
【図３】閉じ姿勢の階段の側面図である。
【図４】同階段の連結具57の側面図である。
【図５】同連結具57の動作説明図である。
【図６】階段の積み重ね状態説明図である。
【符号の説明】
【００３３】
11  固定枠
21〜23  可動枠
31〜33  踏み板
41〜44  連結ロッド
53  係止ロッド
56  筋交い棒
57  連結具
58  係止部材
【図１】
2006009397.tif 000003
【図２】
2006009397.tif 000004
【図３】
2006009397.tif 000005
【図４】
2006009397.tif 000006
【図５】
2006009397.tif 000007
【図６】
2006009397.tif 000008